(57)【要約】【課題】隣接し合う骨板を再付着させるための装置を提供する。【解決手段】隣接し合う骨板を再付着させるための方法および装置は、内側座部、ピン、および、外側座部を含む。このピンは、内側座部に固定して接続されている。隣接し合う骨板が、内側座部と外側座部との間の適切な場所に固定して保持されるように、外側座部は、ピンに選択的に接続されている。外側座部には、第一の外側座部と第二の外側座部とが含まれる。第一の外側座部と第二の外側座部とは、スライド可能に互いに接続されている。第一の外側座部も第二の外側座部もスロットを有する。第一の外側座部と第二の外側座部とは、ピン係合位置とピンロック位置との間で移動可能である。【選択図】  図３
2007125389.tif 000002
【特許請求の範囲】
【請求項１】
隣接し合う骨板を再付着させるための装置において、
内側座部と、
前記内側座部に接続されたピンと、
外側座部と、
を含み、
前記隣接し合う骨板が、前記内側座部と前記外側座部との間の適切な場所に固定されて保持されるように、前記外側座部は前記ピンに選択的に接続され、
前記外側座部は、互いに接続されている第一の外側座部および第二の外側座部を含み、前記第一の外側座部はスロットを有し、前記第二の外側座部はスロットを有する、
装置。
【請求項２】
請求項１に記載の装置において、
前記第一の外側座部は、前記第二の外側座部にスライド可能に接続され、
前記外側座部の前記第一の外側座部および前記第二の外側座部は、ピン係合位置とピンロック位置との間で移動可能である、
装置。
【請求項３】
請求項１に記載の装置において、
前記第二の外側座部の前記スロットは、第一の部分と、前記第一の部分に対してある角度で配置された第二の部分とを含む、装置。
【請求項４】
請求項３に記載の装置において、
前記ピン係合位置では、前記第一の外側座部の前記スロットは、前記第二の外側座部の前記スロットの第一の部分と整列する、装置。
【請求項５】
請求項４に記載の装置において、
前記第一の外側座部の前記スロットの前記第一の部分は、前記第一の外側座部の前記スロットの前記第二の部分に対してほぼ９０°の角度をなしている、装置。
【請求項６】
請求項１に記載の装置において、
前記第一の外側座部は、付勢されたフックを含む、装置。
【請求項７】
請求項６に記載の装置において、
前記第二の外側座部は、ノッチを含む、装置。
【請求項８】
請求項１に記載の装置において、
前記第一の外側座部は、付勢されたフックを含み、
前記第二の外側座部は、ノッチを含み、
前記第一の外側座部は、前記第二の外側座部にスライド可能に接続され、
前記外側座部の前記第一の外側座部および前記第二の外側座部は、ピン係合位置とピンロック位置との間で移動可能であり、前記ピン係合位置では、前記外側座部を前記ピン係合位置に支持するため、前記フックが前記ノッチとインターロックする、
装置。
【請求項９】
請求項１に記載の装置において、
前記外側座部および前記内側座部は、長方形の形状を有する、装置。
【請求項１０】
請求項１に記載の装置において、
前記外側座部および前記内側座部は、正方形の形状を有する、装置。
【発明の詳細な説明】
【開示の内容】
【０００１】
〔関連出願に対するクロスリファレンス〕
なし。
【０００２】
〔連邦資金援助の状態〕
なし。
【０００３】
〔発明の分野〕
本発明は、隣接し合う骨板を固定するための装置および方法に関する。更に具体的には、本発明は、ピン係合位置とピンロック位置との間で移動する二つの部品を有する（two-piece）外側座部を使用して、隣接し合う骨板を固定するための装置および方法に関する。
【０００４】
〔発明の概要〕
本発明は、隣接し合う骨板を再付着させるための装置および方法を提供する。この装置および方法は、内側座部、ピン、および、外側座部を含む。このピンは、内側座部に固定して接続（fixedly connected）されている。外側座部は、隣接し合う骨板が、内側座部と外側座部との間の適切な場所に固定して保持（securely held）されるように、ピンに選択的に接続されている。外側座部には、第一の外側座部と第二の外側座部とが含まれ、これら第一の外側座部と第二の外側座部とは、スライド可能に互いに接続されている。第一の外側座部はスロットを有する。第二の外側座部もスロットを有する。第一の外側座部と第二の外側座部とは、ピン係合位置とピンロック位置との間で移動可能である。
【０００５】
本発明は、以下の詳細な説明とこれに関連する添付図を参照すればより十分に理解することが可能である。
【０００６】
〔発明の詳細な説明〕
図１〜図５を参照して、本発明に係る、隣接し合う骨板を再付着させるための方法および装置１０について説明する。本装置には、内側座部１２、ピン１４、および、外側座部１６が含まれる。ピン１４は、内側座部１２に固定して接続されている。図２に示すように、隣接し合う骨板１８，２０が内側座部と外側座部との間で適切な場所に固定して保持されるように、外側座部１６は、ピン１４に選択的に接続されている。内側座部１２と外側座部１４とは、チタン等の生体適合性材料で作製されていることが好ましい。内側座部１２と外側座部１４とは、長方形の形状を有することが好ましい。内側座部１２と外側座部１４とは、正方形の形状を有することがより好ましい。
【０００７】
外側座部１６には、第一の外側座部２２と第二の外側座部２４とが含まれる。第一の外側座部２２は、スロット２６を有する。第二の外側座部２４は、スロット２８を有する。スロット２８は、第一の部分３０と第二の部分３２とを有している。第一の部分３０は、第二の部分３２に対して約９０°の角度をなしている。第一の外側スロットは、第一のフランジ３４と第二のフランジ３６とを有している。図４Ａおよび図４Ｂに示すように、第一の外側座部２２と第二の外側座部２４とは互いに接続されている。この位置はピン係合位置と称される。このピン係合位置では、外部的に加えられる力が加えられなければ、第一の外側座部２２が第二の外側座部２４に対し移動しないような十分な圧力で、第二の外側座部の外側縁部３８，４０が、フランジ３４，３６の間にぴったりと受け入れられる。ピン係合位置では、第一の外側座部２２のスロット２６が、図４Ａおよび図４Ｂに示すように、第二の外側座部２４のスロット２８の第一の部分３０と整列する。
【０００８】
第一の外側座部２２は、第二の外側座部２４にスライド可能に接続されている。第一の外側座部２２と第二の外側座部２４とは、ピン係合位置（図４Ａおよび図４Ｂ）とピンロック位置（図４Ｃおよび図５）との間で移動可能である。第一の外側座部２２には、付勢されたフック４２が含まれる。第二の外側座部２４には、このフック４２と対になるノッチ４４が含まれる。第一の外側座部２２は第二の外側座部２４にスライド可能に接続されており、そのため外側座部１６が、ピン係合位置からピンロック位置まで移動できるように、第一の外側座部と第二の外側座部とが移動可能である。ピンロック位置では、フック４２がノッチ４２とインターロックし、外側座部１６をピンロック位置に支持する。ピンロック位置では、スロット２６は、もはや、スロット２８の部分３０とは整列していない。その代わりに、スロット２６が、図４Ｃおよび図５に示すように、スロット２８の部分３２の一部分とだけ整列する。ピンロック位置では、フック４２が凹部４４に係合するため、第一の外側座部２２と第二の外側座部２４とが、互いにしっかりと保持される。その後、ユーザーは、ピン１４の上向きに突出している残部を、当業者に知られている方法ではさみ切ることができる。
【０００９】
前述の記載は、単に本発明の原理を例示するものであり、種々の変更が、当業者により、本発明の範囲および精神から逸脱することなく行い得ることが理解されるであろう。ここで引用した全ての文献は、参照により、その全体が明示的に本明細書に包含される。
【００１０】
当業者ならば、上記の諸形態に基づき本発明の更なる特徴および利点を理解するであろう。好ましい形態に適用された本発明の新規な基本的特徴は、本明細書に示され、記載され、指摘されているが、当業者ならば、開示された装置の形態と詳細およびその操作について、本発明の精神および範囲から逸脱することなく、種々の省略、置換および変更が可能であることが理解されるであろう。たとえば、同一の結果を得るために、実質的に同一のやり方で、実質的に同一の機能を果たす要素および／またはステップのすべての組合せが、本発明の範囲内にあることが明示的に意図されている。実施形態で記載した要素の他の要素による置換も、十分に意図され考慮されている。また、図は、必ずしも、縮尺通りではなく、単に概念的なものであると理解されるべきである。したがって、本発明は、添付の請求項によって規定される場合を除いて、具体的に示され、記載されたものに制限されるわけではない。ここに引用された全ての出版物および文献は、参照により、その全体が明示的に本明細書に包含される。
【００１１】
〔実施の態様〕
本発明の好ましい実施態様は以下の通りである。
（１）  隣接し合う骨板を再付着させるための装置において、
内側座部と、
前記内側座部に接続されたピンと、
外側座部と、
を含み、
前記隣接し合う骨板が、前記内側座部と前記外側座部との間の適切な場所に固定されて保持されるように、前記外側座部は前記ピンに選択的に接続され、
前記外側座部は、互いに接続されている第一の外側座部および第二の外側座部を含み、前記第一の外側座部はスロットを有し、前記第二の外側座部はスロットを有する、
装置。
（２）  実施態様（１）に記載の装置において、
前記第一の外側座部は、前記第二の外側座部にスライド可能に接続され、
前記外側座部の前記第一の外側座部および前記第二の外側座部は、ピン係合位置とピンロック位置との間で移動可能である、
装置。
（３）  実施態様（１）に記載の装置において、
前記第二の外側座部の前記スロットは、第一の部分と、前記第一の部分に対してある角度で配置された第二の部分とを含む、装置。
（４）  実施態様（３）に記載の装置において、
前記ピン係合位置では、前記第一の外側座部の前記スロットは、前記第二の外側座部の前記スロットの第一の部分と整列する、装置。
（５）  実施態様（４）に記載の装置において、
前記第一の外側座部の前記スロットの前記第一の部分は、前記第一の外側座部の前記スロットの前記第二の部分に対してほぼ９０°の角度をなしている、装置。
（６）  実施態様（１）に記載の装置において、
前記第一の外側座部は、付勢されたフックを含む、装置。
（７）  実施態様（６）に記載の装置において、
前記第二の外側座部は、ノッチを含む、装置。
（８）  実施態様（１）に記載の装置において、
前記第一の外側座部は、付勢されたフックを含み、
前記第二の外側座部は、ノッチを含み、
前記第一の外側座部は、前記第二の外側座部にスライド可能に接続され、
前記外側座部の前記第一の外側座部および前記第二の外側座部は、ピン係合位置とピンロック位置との間で移動可能であり、前記ピン係合位置では、前記外側座部を前記ピン係合位置に支持するため、前記フックが前記ノッチとインターロックする、
装置。
（９）  実施態様（１）に記載の装置において、
前記外側座部および前記内側座部は、長方形の形状を有する、装置。
（１０）  実施態様（１）に記載の装置において、
前記外側座部および前記内側座部は、正方形の形状を有する、装置。
【図面の簡単な説明】
【００１２】
【図１】隣接し合う骨板を再付着させるために使用される本発明を示す斜視図である。
【図２】図１の線２−２に沿った横断面を矢印の方向に見た断面図である。
【図３】隣接し合う骨板を固定するための本発明の装置および方法の斜視分解組立図である。
【図４Ａ】外側座部がピン上の適切な位置に移動する前の外側座部とピンとを示す部分切り欠け上面図である。
【図４Ｂ】外側座部がピン上の適切な位置に移動し、ピン係合位置に置かれた後の外側座部とピンとを示す部分切り欠け上面図である。
【図４Ｃ】外側座部がピンロック位置に移動した後の外側座部とピンとを示す部分切り欠け上面図である。
【図５】外側座部がピンロック位置に移動した後の外側座部とピンとを示す部分切り欠け底面図である。
【図１】
2007125389.tif 000003
【図２】
2007125389.tif 000004
【図３】
2007125389.tif 000005
【図４Ａ】
2007125389.tif 000006
【図４Ｂ】
2007125389.tif 000007
【図４Ｃ】
2007125389.tif 000008
【図５】
2007125389.tif 000009
【外国語明細書】
2007125389000001.pdf